(57)【特許請求の範囲】
【請求項１】
真空掃除機の本体又はアタッチメントに接続又は一体形成し、（Ａ）筒の外面に吸込口を開け、外周又は筒口に、接続口を開けた仕切りを固定又は一体形成したノズルと、（Ｂ）筒の内周又は筒口に、接続口を開けた仕切りを固定又は一体形成し、（Ａ）の外周又は筒口が（Ｂ）の仕切りに、（Ａ）の仕切りが（Ｂ）の内周又は筒口に、それぞれ密着して接続するカバーとから構成される、着脱自在又は伸縮自在なアタッチメント。
【請求項２】
真空掃除機の本体又はアタッチメントに接続又は一体形成し、（Ａ）筒の外面にブラシを植付けた、請求項１（Ａ）のノズルと、（Ｂ）請求項１（Ｂ）のカバーとから構成される、着脱自在なアタッチメント。
【発明の詳細な説明】
【０００１】
【産業上の利用分野】
本発明は、真空掃除機用のノズルとこれに接続するカバーとから構成される、着脱又は伸縮簡単なアタッチメントに関するものである。
【０００２】
【従来の技術】
従来、電気ファンにより、アタッチメントを通じて空気と共にほこりやごみを吸込み、フィルターで捕捉して除去する真空掃除機を使用する場合は、その本体、ホース、延長管の順に接続し、さらにその先端に多種多様の専用ノズルを、掃除する目的又は対象物に応じて付替えていた。例えば、床・畳・じゅうたん等の広い範囲の掃除には、開口面積が大きいＴ字形ノズルを、隙間・棚・家具等の狭い範囲の掃除には、開口面積が小さいノズルを、それぞれ使用していた。従って、掃除機を使用又は収納する度に、ノズルを外す、接続する、収納場所まで取りに行く、持ち運ぶ等の労力が必要であった。又それが原因で、掃除機の電源を切らずに、延長管を外してホース先端の開口部だけで使用するため、目的以外の小物を誤って吸込む事故が発生していた。以上のような問題を解決するために、現在までに幾つかの方法が提案され又実施されている。その中で特別な装置を必要としない例で、▲１▼アタッチメントの付替え対策は、ホースの先端に隙間用ノズルを備えたもの（特開平６−３１１９４８）又はブラシ付の棚用ノズルを備えたもの（特開平６−３３５４４０，特開平７−３１５６６）があり、これらはいずれもＴ字形ノズルを付替えずに使用できる利点を挙げている。▲２▼小物の吸込み対策は、ノズル先端の吸込口に格子を設けたものが商業的に実施されている。
【０００３】
【発明が解決しようとする課題】
しかし、従来の技術▲１▼でＴ字形ノズルを使用した時に、ノズルの表面、ブラシ、又は延長管との隙間での、ごみやほこりの付着又は堆積を避けるためには、その形状は大きく制限される。例えば、特開平６−３１１９４８記載の隙間用ノズルの場合には、その外面を延長管の内面に密着させるため、ノズルの外径を延長管の内径とほぼ一致させなければならない。さらに、特開平６−３３５４４０記載の棚用ノズルの様に、筒口にブラシを植付けたものは、掃除の対象面で動かして使用した時に、ブラシがその内側のほこりを空気中に分散して吸込むが、外側のほこりは空気中に分散するだけ、又はブラシの外側に付着するだけで吸込まない。従って、従来のノズルは隙間・棚・家具等を掃除するために効率が悪く、さらにそのノズルと延長管との着脱には、その材料のプラスチック等の弾力に対して、両手でねじりながら差込み又は引抜く労力、又は特別な固定装置が必要である。従来の技術▲２▼の格子には、ごみやほこりがからみ、目詰まりし易い欠点がある。本発明の目的は、特別な装置を必要とせずに、掃除機の本体又はホース等に接続又は一体形成して、隙間・棚・家具の他に小物等を効率良く掃除できるノズルと、これに接続し着脱簡単で、延長管又はＴ字形ノズル等に接続又は一体形成して、数種類のノズルを、その表面等を衛生的に保ちながら、付替える労力を省いて、交互に使用して効率よく掃除できるカバーとを提供する事にある。本発明の他の目的は、特別な装置を必要とせずに、ホース等に接続又は一体形成するノズルと、これに接続し伸縮簡単で、Ｔ字形ノズル等に接続又は一体形成して、効率良く掃除できるカバーとを提供する事にある。
【０００４】
【課題を解決するための手段】
本発明によるアタッチメントは、真空掃除機の本体又はアタッチメントに接続又は一体形成する、ノズルとこれに接続し着脱又は伸縮自在なカバーとの２部材より構成される。ノズルは、筒の外面に吸込口を開け、外周又は筒口に、接続口を開けた仕切りを固定又は一体形成する。カバーは、筒の内周又は筒口に、接続口を開けた仕切りを固定又は一体形成し、ノズルの外周又は筒口がカバーの仕切りに、ノズルの仕切りがカバーの内周又は筒口に、それぞれ密着して接続する。ノズルは、隙間・棚・家具の他に小物等を効率良く掃除するために、好ましくは本体、ホース、又は延長管の先端に接続又は一体形成し、ノズル先端の吸込口の断面積が、後方の仕切りの断面積に比べて小さい先細な筒で、その外面にブラシを植付け吸込口を開ける。特に好ましくは筒前方の細い部分の外面に、軸方向に隣接して、ブラシを植付け吸込口を開ける。これに接続し着脱自在なカバーは、延長管又は床・畳・じゅうたん・ふとん用のノズルに、接続又は一体形成する。さらにノズルとカバーを、一体形成又は複数組み合わせて接続する手段もある。ノズル又はカバーを掃除機の本体又はアタッチメントに接続する場合には、保守等を容易にするために、ある程度固定した接続部を設ける。例えば、特別な固定装置を必要としない、プラスチック等の弾力による従来の接続方法が好ましい。ノズルとカバーの材料は、互いに密着してその内部を気密な構造とするために、例えばプラスチック又はゴム等が好ましく、又その先端と仕切りとの密着を目で確認するために、着脱自在のカバーは透明なプラスチックが特に好ましい。
【０００５】
【作用】
ノズルを、後方の接続口から空気を吸引しながら、掃除の対象面で前後又は前後に細長い楕円を描くように動かす時、筒の軸方向に植付けたブラシは、付着又は固着したほこりを空気中に分散すると同時に、これに隣接する吸込口は、分散・堆積・付着したほこりを空気と共に吸込む。次にその吸引状態のまま、ノズルをこれに着脱自在なカバーに接続した時、ノズルとカバーの前後の仕切りが相手の筒表面にそれぞれ密着するため、カバーの仕切りより前方の筒内部は、ノズルの筒内部に連通する一方、ノズルとカバーの隙間から分離する。その結果空気は、カバーの仕切りより前方の筒内部から、ノズル先端の吸込口を経由して、ノズルの筒内部に吸込まれると同時に、外面の吸込口からの吸引により、その仕切られた隙間が減圧となり、吸引力で接続状態が維持される。同様に、ノズルをこれに伸縮自在なカバーに接続した時、吸引力で前後の仕切りの距離が短縮してノズルからカバーが伸長する。この吸引力は、ノズル先端の吸込口に対する外面の吸込口の開口面積に比例する。又カバーに接続したノズル先端の吸込口では、空気の流通断面が狭くなるため、流速が大きくなると同時に空気との摩擦も増加する。その結果、吸込口より大きいごみや小物の捕捉で吸込口が完全に塞がらない限り、吸引風量に影響なく吸込み、仕切りと塵中のダニとの衝撃力も大きくなる。以上のアタッチメントの吸込み・着脱・伸縮の各機能を、実際の掃除又はその前後に応用する。即ち、狭い範囲の表面のほこりやごみをノズルのブラシで払いながら吸込口から吸込み、続いてこれをカバーに接続し広い範囲の表面のほこりやごみを先端のＴ字形ノズルから吸込み、以下、随時ノズルをカバーに差込み又は引抜いて着脱し、２種類のノズルを交互に使用して掃除する。又ノズルとカバーは、掃除前には伸長し、掃除中には伸縮して使用し、掃除後には短縮して収納する。
【０００６】
【実施例】
〔実施例１〕ノズル１を図１（Ａ）に、これに着脱自在なカバー２を図１（Ｂ）にそれぞれ示した。ノズル１は、先端の吸込口１ａの断面積が、後方に一体形成した仕切り１ｂの断面積に比べて小さい先細なプラスチックの筒で、前方の細い部分の外面に、軸方向に隣接し、３箇所に分けてブラシ１ｃを植付け吸込口１ｄを開け、末端の外面に接続部１ｅを設ける。カバー２は、透明なプラスチックの円筒先端の内面に接続部２ａを設け、その末端内周に接続口を開けた仕切り２ｂを固定する。図１（Ｃ）に示した様に、ノズル１先端の外周がカバー２の仕切り２ｂに、ノズル１の仕切り１ｂがカバー２の内周に、それぞれ密着して接続する。図２（Ａ）に示した様に、ホース３の先端をノズル１末端の接続部１ｅに弾力で接続し、末端を掃除機本体に接続する。一方、延長管４の末端をカバー２先端の接続部２ａに弾力で接続し、先端を床・畳・じゅうたん用ノズル５に接続する。次に、電源を入れて空気を吸引した後、ノズル１を前後又は前後に細長い楕円を描く様に動かして、隙間・棚・家具の他に小物等のほこりやごみを、ブラシ１ｃで払いながら、吸込口１ａと１ｄから吸込む。続いて吸引状態のままノズル１をカバー２に差込み、先端と仕切り２ｂとの密着を目で確認して、その隙間に働く吸引力で図２（Ｂ）に示した様に接続した後、ノズル５から床・畳・じゅうたん等のほこりやごみを吸込む。吸込まれた塵中のダニは、仕切り２ｂに衝突した後、本体内のフィルターや捕捉物に再度衝突して死滅する。以下、随時、ノズル１をカバー２に差込み又は引抜いて着脱し、ノズル１と５を交互に使用して掃除する。掃除終了後電源を切り、ノズル１をカバー２から引離して収納する。
【０００７】
〔実施例２〕図２（Ｃ）に示した様に、ふとん用ノズル６の末端を、実施例１のカバー２先端の接続部２ａに弾力で接続して、実施例１と同様にノズル１と６を交互に使用し、隙間・棚・家具・小物等とふとんを掃除した後収納する。
【０００８】
〔実施例３〕実施例１のアタッチメントを、掃除機本体、ホース３、延長管４、ノズル１の順に、ノズル５、カバー２の順にそれぞれ接続して、実施例１と同様にノズル１と５を交互に使用し、手の届かない隙間・棚等と床・畳・じゅうたん等を掃除した後収納する。
【０００９】
〔実施例４〕伸縮・回転自在なノズル７とカバー８の短縮状態を図３（Ａ）に、伸長状態を図３（Ｂ）にそれぞれ示した。ノズル７は、円筒末端にカバー７ａを一体形成して、前方の外面に吸込口７ｂを開け、先端の筒口と末端の筒外周に、接続口を開けた仕切り７ｃと７ｄを固定し、吸込口７ｂの直後に脱出防止の突起７ｅを設ける。カバー７ａは、透明なプラスチックの円筒前方の内面に接続口を開けた仕切り７ｆを固定し、その先端の筒口を仕切り７ｄに固定する。カバー７ａは、ノズル１に着脱自在で、実施例１のカバー２と同様に密着して接続する。カバー８は、円筒先端にノズル８ａを一体形成して、円筒末端の筒口に、接続口を開けた仕切り８ｂを固定する。ノズル８ａは、先端の吸込口８ｃの断面積が、後方の仕切り８ｄの断面積に比べて小さい先細な筒で、前方の細い部分の外面に吸込口８ｅを開ける。ノズル７先端の仕切り７ｃがカバー８の円筒部の内周に、ノズル７の円筒部の外周がカバー８の仕切り８ｂにそれぞれ密着して接続する。又ノズル７の突起７ｅはカバー８の円筒部に接触しない。図２（Ａ）の様に接続したノズル１をカバー７ａに差込み、電源を入れて空気を吸引する時、ノズル７とカバー８の隙間に吸引力が働く結果、その仕切り７ｃと８ｂとの距離が短縮し、図３（Ｂ）に示した様に、カバー８は仕切り８ｂが突起７ｅに接触する位置まで伸長する。この状態でカバー８を対象物に応じて伸縮・回転させながら、ノズル８ａの吸込口８ｃと８ｅから、手の届かない隙間・棚等のほこりやごみを吸込み、実施例１と同様にノズル１と交互に使用して掃除する。吸込まれた塵中のダニは、仕切り７ｃと７ｆに２回衝突した後、最後に本体内のフィルターや捕捉物に衝突して死滅する。掃除終了後電源を切り、ノズル１を引離しノズル７をカバー８に押込み短縮して収納する。
【００１０】
〔実施例５〕図３（Ｃ）に示したカバー９は、透明なプラスチックの円筒先端に床・畳・じゅうたん用ノズルを一体形成し、前方の内周に接続口を開けた仕切り９ａを固定し、実施例４のカバー８前方のノズル８ａに着脱自在で、そのノズル先端の外周がカバー９の仕切り９ａに、仕切り８ｄがカバー９末端の筒口にそれぞれ密着して接続する。ノズル１をカバー７ａに接続し、ノズル８ａをカバー９に差込み密着を確認して吸引力で接続した後、カバー８を伸縮・回転させながら、先端のノズルから床・畳・じゅうたん等のほこりやごみを吸込み、又は引抜いて実施例４と同様に使用する。以下、随時、ノズル１をノズル７に、ノズル８ａをカバー９に、差込み又は引抜いて着脱し、３種類の先端ノズルを交互に使用して掃除する。吸込まれた塵中のダニは、仕切り９ａ、７ｃ、７ｆに３回衝突した後、最後に本体内のフィルターや捕捉物に衝突して死滅する。掃除終了後電源を切り、ノズル１とカバー９を引離し、ノズル７をカバー８に押込み短縮して収納する。
【００１１】
【発明の効果】
本発明によるアタッチメントを、真空掃除機の本体又はアタッチメントに接続又は一体形成して使用した場合の効果を以下に示す。
【００１２】
▲１▼筒の外面に、軸方向に隣接して、ブラシを植え付け吸込口を開けたノズルは、他のノズルを付替える事なくこれだけで、隙間・棚・家具等の他に、吸込口より大きい小物を吸込まずに掃除できる。またノズルは、前後又は前後に細長い楕円を描くように動かして、隙間・棚・家具・小物等の表面をブラシで払いながら、ほこりやごみを空気中に分散する事なく、隣接した吸込口から吸込み、使用者の手・腕・肩等に負担をかけず、効率良く掃除できる。
【００１３】
▲２▼着脱又は伸縮自在なアタッチメントを構成するノズルとカバーは、これらと先端のノズルを使用する時、着脱自在なカバー又は伸縮自在なノズルの仕切りによって、その隙間にはごみやほこりが侵入せずブラシ等が汚れない。又吸込口にごみやほこりがからみ目詰まりする事なく、ダニを仕切りとの衝撃力で効率良く死滅させながら掃除できる。
【００１４】
▲３▼着脱自在なアタッチメントを構成するノズルとカバーは、特別な装置を必要とせずに、掃除前後は電源を入れ又は切り、ノズルをカバーに差込み又は引離すだけで接続又は外し、掃除中は電源を切らず、随時、ノズルをカバーに差込み又は引抜くだけで、即時に数種類のノズルを交互に使用し付替える労力を省いて、１回の簡単な着脱操作で効率良く準備・掃除・収納ができる。一方、伸縮自在なアタッチメントを構成するノズルとカバーは、特別な装置を必要とせずに、掃除前は電源を入れるだけで伸長し、掃除後は電源を切り、ノズルをカバーに押込むだけで短縮して、１回の簡単な操作で効率良く準備・収納ができる。掃除中は、ノズルとカバーの伸縮により、人−操作部−先端ノズル−掃除の対象物の間に、衝突・衝撃を吸収する緩衝作用が働き、使用者の手・腕・肩等に負担をかけず、対象物を傷つけずに柔軟に掃除ができる。又カバーの回転により、先端のノズルの方向を対象物に応じて替えながら、効率良く隅ずみまで掃除できる。
【図面の簡単な説明】
【図１】（Ａ）ノズル１の正面図及び側面図である。
（Ｂ）カバー２の正面図及び側面図である。
（Ｃ）ノズル１とカバー２の接続時の側面図である。
【図２】（Ａ）ノズル１使用時の接続状態を示す斜視図である。
（Ｂ）ノズル５使用時の接続状態を示す斜視図である。
（Ｃ）ノズル６使用時の接続状態を示す斜視図である。
【図３】（Ａ）カバー８の正面図、及びノズル７とカバー８の短縮時の接続状態を示すＡ−Ｂ線一部切断側面図である。
（Ｂ）ノズル７とカバー８の伸長時の接続状態を示すＡ−Ｂ線断面図である。
（Ｃ）カバー９とノズル８ａの接続状態を示すＣ−Ｄ線一部切断側面図である。
【符号の説明】
１  ノズル      １ａ  吸込口      １ｂ  仕切り      １ｃ  ブラシ
１ｄ  吸込口      １ｅ  接続部
２  カバー      ２ａ  接続部      ２ｂ  仕切り
３  ホース
４  延長管
５  床・畳・じゅうたん用ノズル
６  ふとん用ノズル
７  ノズル      ７ａ  カバー      ７ｂ  吸込口      ７ｃ  仕切り
７ｄ  仕切り      ７ｅ  突起        ７ｆ  仕切り
８  カバー      ８ａ  ノズル      ８ｂ  仕切り      ８ｃ  吸込口
８ｄ  仕切り      ８ｅ  吸込口
９  カバー      ９ａ  仕切り
【図１】
0004081166.tif 000002
【図２】
0004081166.tif 000003
【図３】
0004081166.tif 000004